(57)【特許請求の範囲】
【請求項１】
床面に設置される脚体と、該脚体に対して揺動運動する枠体と、該枠体に対して前後方向にスライドする座部基板と、該座部基板に取付けられた座部と、前記枠体に取付けられた背凭れ支持杆と、該背凭れ支持杆に一体的に取付けられた上部背凭れと、該背凭れ支持杆に対して回動自在に取付けられた下部背凭れと、一端が前記座部基板に取付けられ座部基板が前方に移動すると前記下部背凭れの下面側を座部側に変移させるリンク体とより構成したことを特徴とするリラクゼーション椅子。
【請求項２】
座部が取付けられた座部基板と、該座部基板がスライド可能に配置された枠体と、該枠体の両側に形成された円弧状のガイド孔にガイドされるローラを有する固定板と、該固定板が取付けられた脚体と、前記枠体に取付けられ前記座部基板をスライドさせるための前後動用ネジシャフトが螺合された前後動用モータと、前記枠体を前記ガイド孔に沿って変位させるためのチルト用ネジシャフトが螺合されたチルト用モータと、前記枠体の後面に背凭れ支持杆を介して取付けられた背凭れとから構成したことを特徴とするリラクゼーション椅子。
【請求項３】
前記背凭れは複数に分割され、下部背凭れは上部背凭れに対して回動自在に取付けられ、前記下部背凭れは前記座部基板に一端が取付けられたリンク体に対して回動自在に取付けられ、前記座部基板が前方に移動すると下部背凭れの下面側が座部側に変位することを特徴とする請求項２記載のリラクゼーション椅子。
【請求項４】
前記座部の前方には前垂れが一体的に取付けられていることを特徴とする請求項１または２記載のリラクゼーション椅子。
【請求項５】
前記脚体、背凭れ支持杆がパイプによって構成されていることを特徴とする請求項１または２記載のリラクゼーション椅子。
【発明の詳細な説明】
【０００１】
【発明の属する技術分野】
本発明は、理美容室や安楽な姿勢を求める施術室等に設置されてリラクゼーションに好適な姿勢をとることができるように、着座している者の身体全体を傾けることができるようにしたリラクゼーション椅子の改良に関する。
【０００２】
【従来の技術】
従来、理美容室で使用されているリラクゼーション椅子としては、昇降する椅子の背凭れと前垂れを起伏自在に構成し、リラクゼーションする時には背凭れと前垂れを伏倒するものであった。
【０００３】
【発明が解決しようとする課題】
このような椅子にあっては、背凭れと前垂れが起伏するものであり、座部は水平状態を維持するものであることから、背凭れおよび前垂れが伏倒されると共に体重を背凭れに預けるように座部の後方が下方に傾斜するような本当の意味でのリラクゼーションを可能となる椅子は存在しなかった。
【０００４】
本発明は前記した問題点を解決せんとするもので、その目的とするところは、背凭れに対して座部を前方に移動させることにより座高の異なる被施術者の頭部を所望位置にセットすることができると共に、座部の後部を下方に傾斜させることによりフェイシャルエステやマッサージ等を行う状態に適させ、かつ、この状態でのリラクゼーションに適した状態に変化させることができるリラクゼーション椅子を提供せんとするにある。
【０００５】
【課題を解決するための手段】
本発明のリラクゼーション椅子は前記した目的を達成せんとするもので、請求項１の手段は、床面に設置される脚体と、該脚体に対して揺動運動する枠体と、該枠体に対して前後方向にスライドする座部基板と、該座部基板に取付けられた座部と、前記枠体に取付けられた背凭れ支持杆と、該背凭れ支持杆に一体的に取付けられた上部背凭れと、該背凭れ支持杆に対して回動自在に取付けられた下部背凭れと、一端が前記座部基板に取付けられ座部基板が前方に移動すると前記下部背凭れの下面側を座部側に変移させるリンク体とより構成したものである。
【０００８】
請求項２の手段は、座部が取付けられた座部基板と、該座部基板がスライド可能に配置された枠体と、該枠体の両側に形成された円弧状のガイド孔にガイドされるローラを有する固定板と、該固定板が取付けられた脚体と、前記枠体に取付けられ前記座部基板をスライドさせるための前後動用ネジシャフトが螺合された前後動用モータと、前記枠体を前記ガイド孔に沿って変位させるためのチルト用ネジシャフトが螺合されたチルト用モータと、前記枠体の後面に背凭れ支持杆を介して取付けられた背凭れとから構成したものである。
【０００９】
請求項３の手段は、請求項２において、前記背凭れは複数に分割され、下部背凭れは上部背凭れに対して回動自在に取付けられ、前記下部背凭れは前記座部基板に一端が取付けられたリンク体に対して回動自在に取付けられ、前記座部基板が前方に移動すると下部背凭れの下面側が座部側に変位することを特徴とする。
【００１０】
請求項４の手段は、請求項１または２において、前記座部の前方には前垂れが一体的に取付けられていることを特徴とし、また、請求項５の手段は、請求項１または２において、前記脚体、背凭れ支持杆がパイプによって構成されていることを特徴とする。
【００１１】
【発明の実施の形態】
以下、本発明に係るリラクゼーション椅子の一実施の形態を図面と共に説明する。
１は前後方向に２分割された座部２が取付けられた座部基板にして、前後方向に沿ってガイドレール１ａが取付けられている。前記座部２には裏面側に取付けられた板（図示せず）を介して２分割された前垂れ４の側面が取付けられている。なお、３は座部２から前垂れ４の側面に沿って取付けられた意匠としての飾りパイプである。
【００１２】
５は前記ガイドレール１ａにガイドされるローラ５ａが両側面に各一対取付けられた枠体にして、該ローラ５ａが取付けられたと同じ側面に円弧状のガイド孔５ｂが形成されている。６は前記枠体５の前方に減速機６ａが取付けられた前後動用モータにして、減速機６ａには前後動用ネジシャフト７が螺合されている。８は前記座部基板１の裏面に固定された移動板にして、前記前後動用ネジシャフト７の先端にネジシャフト７が回転は可能な状態で螺合されている。
【００１３】
９は前記枠体５の両側に形成されたガイド孔５ｂにガイドされるそれぞれ一対のローラ９ａが取付けられた左右の起立部９ｂを有する固定板、１０は後述する５の背凭れ側に固定されたコの字状の取付板１１に対して回動自在に軸支された回動板にして、該回動板１０にチルト用モータ１２の減速機１２ａが取付けられている。
【００１４】
前記チルト用モータ１２の減速機１２ａにはチルト用ネジシャフト１３が螺合され、該チルト用ネジシャフト１３の一端は床面に設置される脚体１４に固定されている脚板１４ａに対して回転は不能であるが回動は可能なようにシャフト取付板１３ａを介して取付けられている。また、前記固定板９も脚板１４ａを介して脚体１４に取付けられている。なお、脚体１４はパイプを折り曲げて構成されている。
【００１５】
１５は前記枠体５における背面側の両端に一端が取付けられた２本のパイプを湾曲状に折曲した背凭れ支持杆にして、先端側は上下に分割された上部背凭れ１６が取付けられ、また、下部背凭れ１７の上面は上部背凭れ１６の下面に回動自在に取付けられている。なお、１８は前記背凭れ１７の上面に回動自在に取付けられており、上部背凭れ１６の上部と裏面側の２位置に固定可能となっている。
【００１６】
１９は前記座部基板１における背面側の中央に一端に固定されたリンク体にして、他端には補助板１９ａの一端が回動自在に取付けられている。そして、この補助板１９ａの他端は前記下部背凭れ１７の下面に軸支されている。
【００１７】
なお、図示していないが、前後動用モータ６とチルト用モータ１２の回転量、すなわち、前後動用ネジシャフト７とチルト用ネジシャフト１３の移動量を検出するための検出手段が設けられており、予め設定した位置に前記ネジシャフト７，１３が達した時にモータ６，１２の回転を停止させるようになっている。
【００１８】
次に、前記した構成に基づいて動作を初期状態、すなわち、被施術者を本発明のリラクゼーション椅子に導入する状態を図１〜図３および図７、図８と共に説明する。
【００１９】
初期状態においては、固定板８は前後動用ネジシャフト７の先端に位置し、また、チルト用モータ１２はチルト用ネジシャフト１３の先端に位置している。従って、座部基板１は脚体１４の後方に位置し、かつ、下部背凭れ１７は上部背凭れ１６と平行な状態に位置している。
【００２０】
この状態において、着座した被施術者の座高が高いため、該被施術者の頭部が枕１８より上方にある場合には、座部２を前方に移動させて頭部が枕１８に対応するようにする必要がある。そこで、前後動用モータ６を駆動すると減速機６ａを介して前後動用ネジシャフト７が図９、図１０に示すように左方向に移動するように作用する。
【００２１】
この前後動用ネジシャフト７の移動によって、該前後動用ネジシャフト７の先端に取付けられた移動板８が左方向に移動することにより、該移動板８に取付けられている座部基板１が、枠体５に対してローラ５ａがガイドレール１ａに対して移動することから左方向（前方）に移動することとなる。
【００２２】
また、座部基板１が前方に移動することから、該座部基板１に一端が取付けられたリンク体１９が座部基板１と共に前進するので、該リンク体１９に軸支されている補助板１９ａが回動して、該補助板１９ａに取付けられている下部背凭れ１７が前方に引っ張られるので、該下部背凭れ１７は上部背凭れ１６の下面を支店として時計方向に回動され、従って、座部２が前進することによる上部背凭れ１８との間で生じる隙間を塞ぐようになって、着座している被施術者の腰部分を受ける状態となる（図４参照）。なお、座部２と前垂れ４は一体的に取付けられているので、前垂れ４は座部２と一緒に前進する。
【００２３】
次に、前記初期状態から座部１、前垂れ４および背凭れ１６，１７を傾斜させてチルト状態であるリラクゼーションの態勢に移行する動作を図１１、図１２と共に説明する。
前記初期状態においてチルト用モータ１２を駆動すると減速機１２ａを介してチルト用ネジシャフト１３が図１１、図１２に示すように右方向に移動するように作用する。
【００２４】
しかし、ここでチルト用ネジシャフト１３は脚体１４側に軸支され、かつ、減速機１２ａは回動板１０に固定されていることから、チルト用ネジシャフト１３の作用の反作用として取付板１１は回動板１０との関係から時計方向への回転力が加わり、この回転力によって枠体５にも時計方向への回転力が付与される。
【００２５】
この時、固定板９に取付けられているローラ９ａが枠体５の円弧状のガイド孔５ａを移動することになって、枠体５は全体が時計方向に回動板１０と固定板１１との枢着点を支点として回動することとなる。従って、枠体５に取付けられている座部基板１が時計方向に回動されるので、座部２は腰側を下に、足側を上にして傾斜させ、かつ、枠体５に背凭れ支持杆１５を介して取付けられている背凭れ１６，１７も枠体５が傾斜することから初期の状態の座部２との角度を保って後傾されてチルト状態であるリラクゼーションの状態となる。
【００２６】
なお、この状態においては、座部２と背凭れ１６，１７との角度は変化することはない。また、この状態においては、下部背凭れ１７は座部２の移動が行われないことから、該下部背凭れ１７が変位することはないし、かつ、変位する必要がないものである。
【００２７】
次に、座部２を前進させ、かつ、座部２を傾斜させるチルト状態であるリラクゼーションの状態にする動作を図５および図１３、図１４と共に説明する。
この状態に変化させるには、前記した図７、図８で説明した座部２を前進させた後に、前記した図１１、図１２のチルト動作を行わせるか、あるいは、座部２をチルト動作を行わせた後に、座部２を前進させる動作を行うことによって行えるので、全体の動作については説明を省略する。
【００２８】
【発明の効果】
本発明は前記したように、座部および背凭れが後傾するチルト状態と、該チルト状態と関連して座部が前進するスライド状態の２態様、あるいは、前記２態様に加えて座部のみが前進する態様とを独立して変位することができるので、理美容院において採用したときに、リアシャンプー、マッサージ、フェイシャルエステおよびリラクゼーション等の様々な態様に適応させることができるものである。
【００２９】
また、背凭れを複数に分割し、下部背凭れを上部背凭れに対して回動自在となし、かつ、座部が前進すると下部背凭れの下面側が座部側に変位するので、座部と背凭れの隙間がなくなって、被施術者等の着座している人に対して座り心地が悪くなったとの印象を与えることがない等の効果を有するものである。
【図面の簡単な説明】
【図１】本発明に係るリラクゼーション椅子の正面側から見た斜視図である。
【図２】同上の後面側から見た斜視図である。
【図３】初期状態の側面図である。
【図４】座部のみをスライドした状態の側面図である。
【図５】座部がスライドし、かつ、チルト状態の側面図である。
【図６】分解斜視図である。
【図７】初期状態の要部を示す平面図である。
【図８】同上のＡ−Ａ線断面図である。
【図９】座部のみがスライドした状態の要部の平面図である。
【図１０】同上のＢ−Ｂ線断面図である。
【図１１】チルトのみした状態の要部の平面図である。
【図１２】同上のＣ−Ｃ線断面図である。
【図１３】スライドかつチルトした状態の要部の平面図である。
【図１４】同上のＤ−Ｄ線断面図である。
【符号の説明】
１          座部基板
２          座部
４          前垂れ
５          枠体
５ａ        ローラ
５ｂ        ガイド孔
６          前後動用モータ
７          前後動用ネジシャフト
８          移動板
９          固定板
９ａ        ローラ
１０        回動板
１１        取付板
１２        チルト用モータ
１３        チルト用ネジシャフト
１４        脚体
１５        背凭れ支持杆
１６        上部背凭れ
１７        下部背凭れ
１９        リンク体
【図１】
0003836713.tif 000002
【図２】
0003836713.tif 000003
【図３】
0003836713.tif 000004
【図４】
0003836713.tif 000005
【図５】
0003836713.tif 000006
【図６】
0003836713.tif 000007
【図７】
0003836713.tif 000008
【図８】
0003836713.tif 000009
【図９】
0003836713.tif 000010
【図１０】
0003836713.tif 000011
【図１１】
0003836713.tif 000012
【図１２】
0003836713.tif 000013
【図１３】
0003836713.tif 000014
【図１４】
0003836713.tif 000015